(57)【特許請求の範囲】
【請求項１】
処理対象画像に対する各種の機能設定項目に応じた処理結果を示す仕上がり画像を生成する仕上がり画像生成手段と、
前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の枠線を前記仕上がり画像の周囲に集合させた枠線集合画像であるページ構成画像を付して表示手段に表示する仕上がり画像表示手段と、
前記ページ構成画像を構成する一の枠線が操作手段を介して指示された場合、前記表示手段に現在表示されている前記仕上がり画像を、指示された前記一の枠線に対応する前記仕上がり画像にページ移動させるページ移動手段と、
を備え、
前記枠線集合画像を構成する前記枠線は、当該枠線が内側から外側に行くに従って指数関数的に狭くなるログスケール配置で配置されている、
ことを特徴とする画像処理装置。
【請求項２】
処理対象画像に対する各種の機能設定項目に応じた処理結果を示す仕上がり画像を生成する仕上がり画像生成手段と、
前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の目盛が付与されているガイドスケール画像であるページ構成画像を付して表示手段に表示する仕上がり画像表示手段と、
前記ガイドスケール画像上の一の目盛が操作手段を介して指示された場合、前記表示手段に現在表示されている前記仕上がり画像を、指示された前記一の目盛に対応する前記仕上がり画像にページ移動させるページ移動手段と、
を備え、
前記ガイドスケール画像上の前記目盛は、当該目盛が内側から外側に行くに従って指数関数的に狭くなるログスケール配置で配置されている、
ことを特徴とする画像処理装置。
【請求項３】
前記仕上がり画像生成手段は、前記仕上がり画像に対してページめくり操作が行われた状態を示すめくり終わり仕上がり画像を生成し、
前記仕上がり画像表示手段は、前記めくり終わり仕上がり画像を重ね合わせた状態にするとともに、重ね合わされた前記各めくり終わり仕上がり画像の全体のページ構成を示すページ構成画像を付して、前記仕上がり画像とともに前記表示手段に表示する、
ことを特徴とする請求項１または２記載の画像処理装置。
【請求項４】
前記仕上がり画像表示手段により前記表示手段に表示される前記仕上がり画像は、見開き２ページの態様である、
ことを特徴とする請求項１または２記載の画像処理装置。
【請求項５】
前記仕上がり画像生成手段で前記機能設定項目に応じて前記処理対象画像に対して施される処理は、画像処理、当該画像処理後の処理画像の用紙への記録出力及び当該処理画像の記録された用紙に対する後処理に至るまでの一連の各種処理である、
ことを特徴とする請求項１ないし４のいずれか一記載の画像処理装置。
【請求項６】
前記枠線集合画像は、前記仕上がり画像の総ページ数を当該仕上がり画像の周囲の所定方向に延在する線分画像で表したものである、
ことを特徴とする請求項１記載の画像処理装置。
【請求項７】
前記仕上がり画像表示手段は、前記ページ移動手段によって前記表示手段に現在表示されている前記仕上がり画像を指示された前記一のページの前記仕上がり画像にページ移動させる際に、前記ページ構成画像を移動後の前記各仕上がり画像の全体のページ構成を示すページ構成に再構成して前記表示手段に表示する、
ことを特徴とする請求項１ないし６のいずれか一記載の画像処理装置。
【請求項８】
前記仕上がり画像表示手段は、前記ページ移動手段によって前記表示手段に現在表示されている前記仕上がり画像を指示された前記一のページの前記仕上がり画像にページ移動させる際に、移動先のページに関する移動先ページ情報を前記表示手段に表示する、
ことを特徴とする請求項１ないし７のいずれか一記載の画像処理装置。
【請求項９】
処理対象画像に対する各種の機能設定項目に応じた処理結果を示す仕上がり画像を生成する仕上がり画像生成機能と、
前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の枠線を前記仕上がり画像の周囲に集合させた枠線集合画像であるページ構成画像を付して表示手段に表示する仕上がり画像表示機能と、
前記ページ構成画像を構成する一の枠線が操作手段を介して指示された場合、前記表示手段に現在表示されている前記仕上がり画像を、指示された前記一の枠線に対応する前記仕上がり画像にページ移動させるページ移動機能と、
をコンピュータに実行させ、
前記枠線集合画像を構成する前記枠線は、当該枠線が内側から外側に行くに従って指数関数的に狭くなるログスケール配置で配置されている、
ことを特徴とするプログラム。
【請求項１０】
処理対象画像に対する各種の機能設定項目に応じた処理結果を示す仕上がり画像を生成する仕上がり画像生成機能と、
前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の目盛が付与されているガイドスケール画像であるページ構成画像を付して表示手段に表示する仕上がり画像表示機能と、
前記ガイドスケール画像上の一の目盛が操作手段を介して指示された場合、前記表示手段に現在表示されている前記仕上がり画像を、指示された前記一の目盛に対応する前記仕上がり画像にページ移動させるページ移動機能と、
をコンピュータに実行させ、
前記ガイドスケール画像上の前記目盛は、当該目盛が内側から外側に行くに従って指数関数的に狭くなるログスケール配置で配置されている、
ことを特徴とするプログラム。
【発明の詳細な説明】
【技術分野】
【０００１】
本発明は、画像処理装置およびプログラムに関する。
【背景技術】
【０００２】
複写装置、ファクシミリ装置、プリンタ装置、あるいは、これらの機能を兼ね備えたいわゆるＭＦＰ（Multi Function Peripheral）と称される複合機等の画像処理装置においては、ユーザが当該画像処理装置の有する機能のなかから実行させたい機能を選択し、所望の内容に設定する必要がある。例えば、原稿の種類や濃度等の原稿の状態に関する設定、画像の拡大／縮小、片面／両面印刷、余白サイズ等の各種画像処理に関する設定及びソート、ステープル処理、パンチ穴あけ処理等の後処理に関する設定等を行う必要がある。
【０００３】
そこで、従来の画像処理装置は、これらの多種多様な設定をユーザに行わせるために、非常に膨大な設定項目と各設定項目内での複数の設定内容を用意し、ユーザは、このような膨大な設定項目と設定項目内での設定内容のなかから意図する処理結果を得られる設定の選択操作を行うようにしている。
【０００４】
ところが、従来の画像処理装置にあっては、設定内容によって最終的にどのような処理結果、例えば、印刷結果が得られるのかは、実際に印刷出力されないと分からず、予想外の仕上がりになってしまう場合も少なくない。
【０００５】
そこで、従来、印刷結果の状態を示すプレビュー画像を表示するプレビュー表示装置（特許文献１参照）、紙質の異なる用紙形態の表現される用紙画像データが選択されると、当該選択された用紙画像データに対応した用紙上に画像データが印刷された状態のプレビュー画像を表示する画像処理装置（特許文献２参照）及び編集処理された複数の画像データを合成して、プレビュー表示する画像形成システム（特許文献３参照）が提案されている。
【０００６】
すなわち、これらの従来技術は、いずれも設定内容に応じて画像処理した処理結果の画像を１枚、あるいは、複数枚を合成してプレビュー表示している。
【０００７】
そして、このようなプレビュー画像を見て設定をやり直す等の操作を行うことで、印刷出力される前に、仕上がり状態を確認して設定操作を行うことで、意図する画像出力を得ることができる。
【０００８】
【特許文献１】特開２００３−５４７１号公報
【特許文献２】特開２００２−１０３７２６号公報
【特許文献３】特開平１１−２３４５０３号公報
【発明の開示】
【発明が解決しようとする課題】
【０００９】
しかしながら、上記各従来技術にあっては、いずれも設定内容に応じて画像処理した処理結果の画像を１枚、あるいは、複数枚を合成してプレビュー表示するのみであるため、画像枚数が多い場合には、複数ページからなる全体画像の構成状態や確認したい画像を見つけるのに１ページずつページめくり操作を行って見つける必要があり、利用性が悪いという問題がある。
【００１０】
すなわち、表示手段に複数ページの画像ファイルをページ表示して、目的ページを探す実際の作業では、各章の変わり目や図表のあるページ等の特定のページを探し出したい場合が多いが、従来の方法では、１ページずつページをめくっていく必要があり、目的のページが離れている場合に、手間と時間がかかり、確認作業が面倒で非能率的であるという問題がある。
【００１１】
本発明は、上記に鑑みてなされたものであって、複数ページからなる処理対象画像のページ操作が容易で、確認したい目的のページに速やかに移動することのできる利用性の良好な画像処理装置およびプログラムを提供することを目的としている。
【課題を解決するための手段】
【００１２】
上述した課題を解決し、目的を達成するために、請求項１にかかる発明の画像処理装置は、処理対象画像に対する各種の機能設定項目に応じた処理結果を示す仕上がり画像を生成する仕上がり画像生成手段と、前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の枠線を前記仕上がり画像の周囲に集合させた枠線集合画像であるページ構成画像を付して表示手段に表示する仕上がり画像表示手段と、前記ページ構成画像を構成する一の枠線が操作手段を介して指示された場合、前記表示手段に現在表示されている前記仕上がり画像を、指示された前記一の枠線に対応する前記仕上がり画像にページ移動させるページ移動手段と、を備え、前記枠線集合画像を構成する前記枠線は、当該枠線が内側から外側に行くに従って指数関数的に狭くなるログスケール配置で配置されている。
また、請求項２にかかる発明は、処理対象画像に対する各種の機能設定項目に応じた処理結果を示す仕上がり画像を生成する仕上がり画像生成手段と、前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の目盛が付与されているガイドスケール画像であるページ構成画像を付して表示手段に表示する仕上がり画像表示手段と、前記ガイドスケール画像上の一の目盛が操作手段を介して指示された場合、前記表示手段に現在表示されている前記仕上がり画像を、指示された前記一の目盛に対応する前記仕上がり画像にページ移動させるページ移動手段と、を備え、前記ガイドスケール画像上の前記目盛は、当該目盛が内側から外側に行くに従って指数関数的に狭くなるログスケール配置で配置されている。
【００１３】
また、請求項３にかかる発明は、請求項１または２記載の画像処理装置において、前記仕上がり画像生成手段は、前記仕上がり画像に対してページめくり操作が行われた状態を示すめくり終わり仕上がり画像を生成し、前記仕上がり画像表示手段は、前記めくり終わり仕上がり画像を重ね合わせた状態にするとともに、重ね合わされた前記各めくり終わり仕上がり画像の全体のページ構成を示すページ構成画像を付して、前記仕上がり画像とともに前記表示手段に表示する。
【００１４】
また、請求項４にかかる発明は、請求項１または２記載の画像処理装置において、前記仕上がり画像表示手段により前記表示手段に表示される前記仕上がり画像は、見開き２ページの態様である。
【００１５】
また、請求項５にかかる発明は、請求項１ないし４のいずれか一記載の画像処理装置において、前記仕上がり画像生成手段で前記機能設定項目に応じて前記処理対象画像に対して施される処理は、画像処理、当該画像処理後の処理画像の用紙への記録出力及び当該処理画像の記録された用紙に対する後処理に至るまでの一連の各種処理である。
【００１７】
また、請求項６にかかる発明は、請求項１記載の画像処理装置において、前記枠線集合画像は、前記仕上がり画像の総ページ数を当該仕上がり画像の周囲の所定方向に延在する線分画像で表したものである。
【００２１】
また、請求項７にかかる発明は、請求項１ないし６のいずれか一記載の画像処理装置において、前記仕上がり画像表示手段は、前記ページ移動手段によって前記表示手段に現在表示されている前記仕上がり画像を指示された前記一のページの前記仕上がり画像にページ移動させる際に、前記ページ構成画像を移動後の前記各仕上がり画像の全体のページ構成を示すページ構成に再構成して前記表示手段に表示する。
【００２２】
また、請求項８にかかる発明は、請求項１ないし７のいずれか一記載の画像処理装置において、前記仕上がり画像表示手段は、前記ページ移動手段によって前記表示手段に現在表示されている前記仕上がり画像を指示された前記一のページの前記仕上がり画像にページ移動させる際に、移動先のページに関する移動先ページ情報を前記表示手段に表示する。
【００２３】
また、請求項９にかかる発明のプログラムは、処理対象画像に対する各種の機能設定項目に応じた処理結果を示す仕上がり画像を生成する仕上がり画像生成機能と、前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の枠線を前記仕上がり画像の周囲に集合させた枠線集合画像であるページ構成画像を付して表示手段に表示する仕上がり画像表示機能と、前記ページ構成画像を構成する一の枠線が操作手段を介して指示された場合、前記表示手段に現在表示されている前記仕上がり画像を、指示された前記一の枠線に対応する前記仕上がり画像にページ移動させるページ移動機能と、をコンピュータに実行させ、前記枠線集合画像を構成する前記枠線は、当該枠線が内側から外側に行くに従って指数関数的に狭くなるログスケール配置で配置されている。
また、請求項１０にかかる発明のプログラムは、処理対象画像に対する各種の機能設定項目に応じた処理結果を示す仕上がり画像を生成する仕上がり画像生成機能と、前記処理対象画像が複数ページにわたっている場合、前記各仕上がり画像を重ね合わせた状態にするとともに、重ね合わされた前記各仕上がり画像の全体のページ構成を示すものであって前記仕上がり画像の総ページ数に対して所定倍率のページ数を示す所定数の目盛が付与されているガイドスケール画像であるページ構成画像を付して表示手段に表示する仕上がり画像表示機能と、前記ガイドスケール画像上の一の目盛が操作手段を介して指示された場合、前記表示手段に現在表示されている前記仕上がり画像を、指示された前記一の目盛に対応する前記仕上がり画像にページ移動させるページ移動機能と、をコンピュータに実行させ、前記ガイドスケール画像上の前記目盛は、当該目盛が内側から外側に行くに従って指数関数的に狭くなるログスケール配置で配置されている。
【発明の効果】
【００２４】
本発明の画像処理装置によれば、処理対象画像を設定内容に応じて各種処理を施した仕上がり画像を表示手段に表示する際に、仕上がり画像が複数ページの画像であると、表示手段に当該複数ページの各仕上がり画像を重ね合わせた状態で表示するとともに、当該仕上がり画像の全体のページ構成を示すページ構成画像を表示し、当該ページ構成画像が指示操作されると、当該仕上がり画像の表示ページを、現在表示中のページから当該ページ構成画像での指示操作に応じたページに移動させることにより、仕上がり画像の全体のページ構成を確認しながら、表示ページを簡単な操作で意図するページにページ移動させることができ、ページ操作と仕上がり画像の確認を簡単かつ速やかに行えるようにして、利用性を向上させることができる。
【００２５】
本発明のプログラムによれば、処理対象画像を設定内容に応じて各種処理を施した仕上がり画像を表示手段に表示する際に、仕上がり画像が複数ページの画像であると、表示手段に当該複数ページの各仕上がり画像を重ね合わせた状態で表示するとともに、当該仕上がり画像の全体のページ構成を示すページ構成画像を表示し、当該ページ構成画像が指示操作されると、当該仕上がり画像の表示ページを、現在表示中のページから当該ページ構成画像での指示操作に応じたページに移動させることにより、仕上がり画像の全体のページ構成を確認しながら、表示ページを簡単な操作で意図するページにページ移動させることができ、ページ操作と仕上がり画像の確認を簡単かつ速やかに行えるようにして、利用性を向上させることができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【００２７】
［第１の実施の形態］
本実施の形態は、画像処理装置として、コピー機能、ファクシミリ機能、プリント機能、スキャナ機能及び入力画像（スキャナ機能による読み取り原稿画像やプリンタあるいはファクシミリ機能により入力された画像）を配信する機能等を複合したいわゆるＭＦＰ（Multi Function Peripheral）と称される複合機を適用した例である。
【００２８】
図１〜図１４は、本発明の画像処理装置の第１の実施の形態を示す図である。図１は、本発明の画像処理装置の第１の実施の形態を適用した画像処理装置１の要部を示すブロック図である。
【００２９】
図１において、画像処理装置１は、制御部２、画像読取部３、画像記憶部４、画像処理部５、プリント出力部６及び表示操作部７等を備えており、上記各部は、バス８により接続されている。この画像処理装置１は、ファクシミリ装置、複写装置、プリンタ装置、複合装置等に適用することができる。
【００３０】
制御部２は、ＣＰＵ（Central Processing Unit ）、ＲＯＭ（Read Only Memory）及びＲＡＭ（Random Access Memory）等を備え、ＣＰＵが、ＲＯＭ内のプログラムに基づいて、ＲＡＭをワークメモリとして利用しつつ、画像処理装置１の各部を制御して、画像処理装置１としての処理を実行するとともに、後述する仕上がり画像表示・ページ操作処理を行う。
【００３１】
画像読取部３は、搬送される原稿または静止する原稿に光を照射して、当該原稿で反射された反射光をＣＣＤ（Charge Coupled Device ）等の光電変換素子で光電変換することで原稿の画像を読み取る。また、画像読取部３は、ＡＤＦ（自動原稿送り装置）が設けられているときには、当該ＡＤＦにセットされてＡＤＦから１枚ずつ読取部に搬送されてくる原稿の画像を読み取る。
【００３２】
画像記憶部４は、ハードディスクあるいは大容量のＲＡＭ等で構成され、画像読取部３の読み取った原稿の画像データ及び画像処理部５で画像処理された画像データ等を画像ファイルとしてファイル単位で記憶する。
【００３３】
画像処理部５は、画像処理ＬＳＩ（Large Scale Integrated circuit ）によってハード的に、あるいは、画像処理プログラムを使用してソフト的に、画像記憶部４に記憶されている画像データに対して各種画像処理、例えば、画像の拡大／縮小処理、シャープネス処理等の画質調整処理等の各種画像処理を行う。特に、画像処理部５は、制御部２の制御下で、後述する表示操作部７で設定された設定内容に応じた仕上がり画像作成処理を行う。
【００３４】
プリント出力部６は、例えば、電子写真方式で画像を用紙に印刷出力するエンジン部と、当該エンジン部で画像の印刷出力された用紙に対して、パンチ処理、ステープル処理等の後処理を行う後処理装置と、を備えている。プリント出力部６は、エンジン部で、画像処理部５によって最終的に画像処理された画像データに基づいて、表示操作部７で設定された設定内容に応じた印刷状態で用紙に印刷出力し、また、後処理部で、当該画像の印刷出力された用紙に対して、表示操作部７で設定された処理設定に応じた後処理状態で後処理を施す。なお、エンジン部の印刷方式は、電子写真方式のほか、インクジェット方式、昇華型熱転写方式、銀塩写真方式、直接感熱記録方式、溶融型熱転写方式など、様々な方式を用いることができる。
【００３５】
表示操作部（操作手段、表示手段）７は、画像処理装置１を動作させるのに必要な各種操作キーが設けられているとともに、表示画面（表示手段）７ａ、例えば、液晶ディスプレイが設けられており、表示画面７ａ（図２参照）上には、タッチパネルが配設されている。表示操作部７は、その表示画面７ａに、画像記憶部４の画像ファイルに対して画像処理部５で仕上がり画像処理を行った仕上がり画像と当該仕上がり画像の全体のページ構成を示すページ構成画像としての枠線集合画像等を表示出力するとともに、処理設定に必要な各種設定ボタン等を表示出力する。当該表示に応じてタッチパネル上でタッチ操作が行われると、当該タッチ操作の行われたタッチ位置情報を制御部２に通知する。
【００３６】
図２は、表示操作部７の表示画面７ａにおける表示の一例を示す模式図である。表示操作部７の表示画面７ａには、処理対象画像（仕上がり画像）１０、１１および機能設定項目（メニュー項目）９が表示される。機能設定項目（メニュー項目）９としては、ステープル、パンチ、とじしろ調整、わく消去、スタンプおよびページ番号などの処理対象画像（仕上がり画像）１０、１１上の場所に依存したメニュー９ａが画面の右側に表示されている。また、出力カラー、出力濃度、用紙、拡大／縮小、片面／両面、集約、ソート／スタックおよび地肌などのコンテンツに依存しないメニュー９ｂが画面の左側に表示されている。
【００３７】
制御部２は、タッチ位置情報が通知されると、当該タッチ位置に対応する命令処理を実行する。
【００３８】
すなわち、上記画像処理部５は、上述のように表示操作部７で設定された設定内容に応じた画像処理を行うとともに、表示操作部７で設定された設定内容に応じた状態でプリント出力部６で印刷出力し、さらに、表示操作部７で設定された設定内容に応じた状態で後処理を行った状態を示す仕上がり画像を生成するとともに、仕上がり画像の全体のページ構成を示すページ構成画像として枠線集合画像等を生成する。
【００３９】
画像処理部５は、画像記憶部４に格納されている処理対象画像ファイルの各ページの画像データに対して、順次、表示操作部７での処理設定に応じて、画像処理を行うとともに、当該画像処理した画像データの画像に対して、表示操作部７での設定内容に応じた印刷処理及び後処理を行ったときの処理結果を示す仕上がり画像１０（図２参照）を作成し（仕上がり画像生成手段）、制御部２が、この画像処理部５の作成した仕上がり画像１０を画像記憶部４に格納する。この仕上がり画像１０は、表示操作部７での設定内容に対応する画像処理部５での画像処理、プリント出力部６による当該画像処理後の画像の表示操作部７で設定された設定内容に応じた状態での印刷出力処理及び表示操作部７で設定された設定内容に応じた状態で後処理を行った状態を示す画像である。
【００４０】
また、画像処理部５は、画像ファイルの各ページの仕上がり画像１０を作成すると、作成した各ページの仕上がり画像１０を所定間隔ずつ所定方向、例えば、仕上がり画像１０の右方向に位置ズレさせた状態となるように、表示ページの右横方向に画像ファイルのページ数に対応する数のページ枠を示す枠線集合画像１０ａ（図２参照）を均等の間隔で作成する（仕上がり画像生成手段）。さらに、画像処理部５は、仕上がり画像１０のページめくり操作が行われたときのめくり終わった状態を示すめくり終わり仕上がり画像１１（図２参照）と、めくり終わり仕上がり画像１１のめくり終わったページ数に対応する数のページ枠を示しめくり終わり仕上がり画像１１の左方向に均等の間隔で位置する枠線集合画像１１ａ（図２参照）と、を作成して（仕上がり画像生成手段）、画像記憶部４に格納する。このめくり終わり仕上がり画像１１は、例えば、記録済用紙を裏返した状態の画像であり、仕上がり画像１０が用紙の両面に画像を印刷する両面印刷の場合には、めくり終わり仕上がり画像１１には、当該両面画像の裏面画像が描かれた状態の画像となる。
【００４１】
そして、画像処理部５は、画像ファイルを仕上げた状態の仕上がり画像１０のページ数が多く、枠線集合画像１０ａ、１１ａの枠線の数が多くなって表示画面７ａに描ききれないか、数が多くてかえってページ指定操作が行いにくいときには、１つの枠線に付与する移動ページ数を、１ページではなく、複数ページ、例えば、２ページ、１０ページ等のように、仕上がり画像の総ページ数とページ指定の操作性を考慮した比率のページ数に割り当てを行う。このように、画像処理部５は、１つの枠線に付与する移動ページ数を複数ページに割り当てた場合、枠線集合画像１０ａ、１１ａの最も内側の枠線に対しては、次のページまたは前のページへと１ページだけページを進めるまたは戻すために、移動ページ数として、１ページを割り当てる。
【００４２】
制御部２は、上述のようにして、画像処理部５が作成して、画像記憶部４に格納した仕上がり画像１０とその枠線集合画像１０ａ及び必要なめくり終わり仕上がり画像１１とその枠線集合画像１１ａを表示操作部７に渡して、図２に示すように、表示操作部７の表示画面７ａに、仕上がり画像１０とその枠線集合画像１０ａ及び必要なめくり終わり仕上がり画像１１とその枠線集合画像１１ａを表示させる（仕上がり画像表示手段）。なお、制御部２は、通常、仕上がり画像１０の初期表示画面では、１ページ目の仕上がり画像１０を表示させる。
【００４３】
図２に示す表示画面では、画像記憶部４に格納されている処理対象画像ファイルの途中のページまでめくられて、途中ページの１ページ分の仕上がり画像１０が表示されている。その右横には、当該画像ファイルの残りのページ数に対応する数の枠線からなる枠線集合画像１０ａが表示されている。さらに、めくり終わったページに対応する裏面が白紙のめくり終わり仕上がり画像１１、すなわち、裏面画像がない場合のめくり終わり仕上がり画像１１が表示されている。その左横に当該画像ファイルのめくり終わったページ数に対応する数の枠線からなる枠線集合画像１１ａが表示されている。なお、仕上がり画像１０としては、１ページである必要はなく、見開き２ページであってもよい。この場合、めくり終わり仕上がり画像１１は、不要となる。
【００４４】
表示操作部７の表示画面７ａ上には、表示操作部７のタッチパネルが配設されている。この状態で、操作者が、仕上がり画像１０上の任意の位置（座標）をタッチ操作すると、制御部２は、当該タッチ位置に対応する当該仕上がり画像１０の位置に対して予め設定されている所定数の処理設定項目を表示操作部７の表示画面７ａに表示する。制御部２は、当該処理設定項目のうち選択された設定項目について設定値が設定されると、当該処理設定に基づいて画像処理部５に再度必要な画像処理と仕上がり画像１０の作成処理を行わせて、作成し直された仕上がり画像１０を、上記同様に、表示操作部７の表示画面７ａに表示させる。この仕上がり画像１０のタッチ操作と処理設定の設定操作及び設定された処理設定による仕上がり画像１０の再作成と表示を順次行う。
【００４５】
ユーザが、仕上がり画像１０を見て、表示操作部７のコピー開始を示すスタートキー（図示せず）を押下すると、制御部２は、最終的に設定された処理設定に応じて画像処理されて画像記憶部４に格納されている画像ファイルを読み出して、プリント出力部６に渡す。プリント出力部６では、当該最終的に設定された処理設定に応じた印刷状態で用紙に印刷出力し、また、当該画像の印刷出力された用紙に対して、最終的に設定された処理設定に応じた後処理状態で後処理を施す。
【００４６】
次に、本実施の形態の作用を説明する。本実施の形態の画像処理装置１は、複数ページからなる画像ファイルの仕上がり画像を表示するとともに、当該仕上がり画像の表示ページを目的のページに速やかに移動することができる状態で表示する。
【００４７】
ここで、上述したように仕上がり画像１０、１１を表示して処理設定操作を行っているときに、ユーザが、表示画面７ａに表示されている枠線集合画像１０ａ、１１ａ上のタッチパネルにおいて、移動目的のページ（目的ページ）に対応する枠線をタッチ操作した場合におけるページ移動手段について説明する。この場合、制御部（ページ移動手段）２は、タッチ位置に対応するページを、タッチされた枠線が内側から何本目であるかを当該枠線に割り当てられているページ数から検出して、対応する目的ページの仕上がり画像１０を画像記憶部４から取得して表示操作部７の表示画面７ａに表示させる。また、制御部２は、画像処理部５に目的ページを通知して、当該目的ページを開いたときの残りページとめくり終わりページから新たな枠線集合画像１０ａ、１１ａを作成させて、当該枠線集合画像１０ａ、１１ａを表示画面７ａに表示させる。
【００４８】
また、１ページだけページ送りまたはページ戻りを行うときには、ユーザは枠線集合画像１０ａまたは枠線集合画像１１ａの一番内側の枠線をタッチする。制御部２は、枠線集合画像１０ａまたは枠線集合画像１１ａの一番内側の枠線がタッチされると、１ページだけのページ送りまたはページ戻りであると判断して、現在表示中のページに対して、次ページまたは前ページの仕上がり画像１０、１１を画像記憶部４から読み出して、表示画面７ａに表示し、必要な枠線集合画像１０ａ、１１ａの再作成を画像処理部５に行わせて表示画面７ａに表示する。
【００４９】
ここで、画像処理装置１による画像表示処理のうち、ページ表示の左右に設けた領域を指定することによりページを移動する場合の画像表示処理について、図３のフローチャートを参照しつつ説明する。図３に示すように、画像処理装置１は、まず、画像読取部３を駆動させることによる原稿の読み込みに待機する（ステップＳ１０１）。すなわち、原稿のコピーを行うために、操作者が、複数枚の原稿を画像読取部３のＡＤＦにセットし、表示操作部７で必要な処理設定項目毎に必要な処理設定の設定を行って、スタートキーを押下すると、画像処理装置１は、画像読取部３を駆動させて、ＡＤＦから原稿を１枚ずつ読取部に搬送させて、順次原稿の画像を画像読取部３で読み取る。なお、制御部２は、当該画像読取部３の読み取った原稿の画像データを画像記憶部４に格納して、全ての原稿の画像データを読み取ると、当該原稿の全ての画像データを１つの処理対象画像ファイルとして、管理する。
【００５０】
画像処理装置１は、原稿が読み込まれると（ステップＳ１０１のＹｅｓ）、表示ページを初期値“１”に設定し（ステップＳ１０２）、表示操作部（表示手段）７の表示画面７ａに設定ページ（仕上がり画像および枠線集合画像）を表示する（ステップＳ１０３）。
【００５１】
設定ページ（仕上がり画像および枠線集合画像）が表示された状態で、設定ページ（仕上がり画像および枠線集合画像）上の任意の座標が表示操作部（操作手段）７を介して指定され、入力座標を取得すると（ステップＳ１０４のＹｅｓ）、右領域が指定されたか、左領域が指定されたかを判定する（ステップＳ１０５，Ｓ１０６）。
【００５２】
入力座標に基づいて右領域が指定されたと判定すると（ステップＳ１０５のＹｅｓ）、前方に対する移動量を算出し（ステップＳ１０７）、その方向（前方）と移動量に基づいて表示するページを設定し（ステップＳ１０９）、設定ページ（仕上がり画像および枠線集合画像）を表示操作部（表示手段）７の表示画面７ａに表示する（ステップＳ１０３）。
【００５３】
一方、入力座標に基づいて左領域が指定されたと判定すると（ステップＳ１０６のＹｅｓ）、後方に対する移動量を算出し（ステップＳ１０８）、その方向（後方）と移動量に基づいて表示するページを設定し（ステップＳ１０９）、設定ページ（仕上がり画像および枠線集合画像）を表示操作部（表示手段）７の表示画面７ａに表示する（ステップＳ１０３）。
【００５４】
すなわち、画像処理装置１は、左右の領域内の位置座標によって移動量を決め、左右どちらが指定されたかによってページを前に進めるか、後に戻すかを決定する。
【００５５】
このように、本実施の形態の画像処理装置１は、処理対象画像を設定内容に応じて各種処理を施した仕上がり画像１０を表示操作部７の表示画面７ａに表示する際に、仕上がり画像１０が複数ページの画像であると、表示画面７ａに当該複数ページの仕上がり画像１０を重ね合わせた状態で表示するとともに、当該仕上がり画像１０の全体のページ構成を示すページ構成画像を、仕上がり画像１０、１１の総ページ数に対して所定倍率のページ数を示す所定数の枠線の集合した枠線集合画像１０ａ、１１ａとして表示する。そして、当該枠線集合画像１０ａ、１１ａが表示操作部７のタッチパネル上でのタッチ操作で指示操作されると、表示ページを、現在表示中のページから当該枠線集合画像１０ａ、１１ａでの指示操作に応じたページに移動させている。
【００５６】
したがって、仕上がり画像１０の全体のページ構成を確認しながら、表示ページを簡単な操作で意図する目的ページにページ移動させることができ、ページ操作と仕上がり画像１０の確認を簡単かつ速やかに行えるようにして、利用性を向上させることができる。
【００５７】
また、本実施の形態の画像処理装置１は、画像処理部５で、仕上がり画像１０として、設定内容に応じて、画像処理、当該画像処理済の画像の用紙への印刷出力及び当該印刷出力済の用紙への後処理に至る一連の処理を施した仕上がり状態を示す画像を生成している。
【００５８】
したがって、一連の処理結果の状態を仕上がり画像１０で確認することができ、設定操作を意図する処理結果の得られるように設定することができる。
【００５９】
さらに、本実施の形態の画像処理装置１は、表示ページを現在表示中のページから指示操作に応じたページに移動させると、枠線集合画像１０ａ、１１ａを当該移動先ページを表示ページとするページ構成に再構成して、表示している。
【００６０】
したがって、表示ページの移動に応じて再構成される枠線集合画像１０ａ、１１ａで、仕上がり画像１０の全体のページ構成を適切に分かるようにすることができ、利用性をより一層向上させることができる。
【００６１】
なお、上記画像処理装置１では、枠線集合画像１０ａ、１１ａを、仕上がり画像１０、１１の斜め下方向に平行でその上辺及び下辺も仕上がり画像１０、１１に平行な枠線の集合で構成しており、当該枠線の上辺、下辺、側辺のいずれがタッチ操作されても、当該枠線に付与されているページへの移動操作となっていたが、枠線集合画像の描き方と当該枠線集合画像を構成する枠線の有している機能は、上記内容のものに限るものではない。
【００６２】
例えば、枠線としては、図４に示す傾斜枠線１０ｃ、１１ｃが挙げられる。図４示すように、傾斜枠線１０ｃ、１１ｃは、図２に示した枠線集合画像１０ｂ、１１ｂの最外枠の枠線の上辺を、仕上がり画像１０、１１の上辺の枠線側の先端位置から下辺の最も外側の枠線と交差するように傾斜させたものである。つまり、枠線集合画像である傾斜枠線１０ｃ、１１ｃは、仕上がり画像１０（１１）の総ページ数を当該仕上がり画像１０（１１）の周囲の所定方向に延在する線分画像として表したものである。この場合、一番内側の枠線には、１ページだけページ送りまたは１ページだけページ戻りを行うときに使用するために、１ページだけのページ送りまたはページ戻りが割り当てられており、１番内側以外の枠線には、画像ファイルの画像ファイルの総ページ数とページ指定の操作性を考慮した割当が行われている。また、長い辺となっている傾斜枠線１０ｃ、１１ｃには、各側辺の枠線との接続位置に、各側辺枠線に割り当てられているページが割り当てられて、当該各側辺の枠線との接続位置と接続位置の間の傾斜枠線１０ｃ、１１ｃの線分に対しては、当該各側辺の枠線との接続位置に割り当てられているページ間のページ数が均等に割り振られている。すなわち、傾斜枠線１０ｃ、１１ｃには、当該傾斜枠線１０ｃ、１１ｃの上端位置から当該傾斜枠線１０ｃ、１１ｃの長さと仕上がり画像１０の全体のページ数に対応する比率でページが割り当てられている。また、下辺の枠線の最も外側の枠線は、最終ページまたは先頭ページが割り当てられている。
【００６３】
したがって、図４の枠線集合画像１０ｂ、１１ｂ場合には、各枠線の側辺枠線や下辺枠線をタッチ操作することで、当該枠線に割り当てられているページへのページ移動を行うことができ、さらに、長い傾斜枠線１０ｃ、１１ｃをタッチ操作することで、当該傾斜枠線１０ｃ、１１ｃのタッチ位置に割り当てられているページを指定することができるとともに、当該傾斜枠線１０ｃ、１１ｃにタッチしながらタッチ位置を移動させると、連続的に指定ページを細かく変更することができる。
【００６４】
なお、上記図４の場合、仕上がり画像１０の総ページ数を所定の枠線で割り振った数の側辺枠線と下辺枠線を描いているが、これらの側辺枠線と下辺枠線の代わりに、総ページ数に応じた濃淡を傾斜枠線１０ｃ、１１ｃと最も外側の下辺枠線で囲まれる直角三角形内に施してもよい。
【００６５】
また、本実施の形態の画像処理装置１では、枠線集合画像１０ａ、１１ａを仕上がり画像１０の斜め下方向に均等な間隔で配置された枠線によって構成しているが、枠線の配置は、上記内容のものに限るものではない。
【００６６】
例えば、図５に示す枠線集合画像１０ｄ、１１ｄのように、枠線集合画像１０ｄ、１１ｄを構成する枠線の間隔を内側から外側に行くに従って指数関数的に狭くなるログスケール配置で配置した状態で描いてもよい。
【００６７】
枠線集合画像１０ｄ、１１ｄの各枠線をこのようにログスケール配置にすると、現在開かれているページからページ数のあまり離れていない目的ページへページ移動する際の枠線へのタッチ操作を行いやすくすることができる。
【００６８】
すなわち、実際のページめくり、ページ戻し操作においては、少ないページ数を移動することが多く、全体のページ数が多い場合、枠線数が多くなり、２ページや３ページ程度の少ないページ数を移動するときに、正確に移動ページをタッチ操作することが困難になることがある。
【００６９】
ところが、図５に示したように、枠線集合画像１０ｄ、１１ｄを構成する枠線の間隔を近いページを指定する内側から離れたページを指定する外側に行くに従って指数関数的に狭くなるログスケール配置で配置した状態で描くと、開かれているページに近いページほど枠線へのタッチ操作を行いやすくなり、操作性を向上させることができる。
【００７０】
特に、実際のページめくり操作やページ戻し操作では、目的ページに近いおおよその位置のページにページめくりまたはページ戻しを行った後、近くの目的ページへのページ指定操作を行うが、このような実際のページめくり操作またはページ戻し操作に対応した操作間隔でページ操作を行うことができ、利用性を向上させることができる。
【００７１】
さらに、上記各説明の画像処理装置１では、仕上がり画像のページ構成を示すページ構成画像を、枠線集合画像のみで表示しているが、ページ構成画像としては、枠線集合画像のみに限るものではなく、例えば、図６に示すように、見開き２ページの仕上げ予想画像３０とその横方向両側に表示されている枠線集合画像３１ａ、３１ｂの下方に、目的ページへのページ指定操作を行うガイドスケール３２を画像処理部５で作成して表示してもよい。
【００７２】
このガイドスケール３２は、その横方向中央位置に現在ページの指定を行う現在ページ指定目盛３２ａが表示され、当該現在ページ指定目盛３２ａの両側に、ページめくりのページ指定を行う複数のめくりページ指定目盛３２ｂと、ページ戻しのページ指定を行う複数の戻しページ指定目盛３２ｃと、がそれぞれ表示されている。このめくりページ指定目盛３２ｂ及び戻しページ指定目盛３２ｃは、仕上がり画像３０の総ページ数が少ないときには、各ページを直接指定する目盛となっているが、仕上がり画像３０の総ページ数が多いときには、現在ページ指定目盛３２ａに最も近いめくりページ指定目盛３２ｂと戻しページ指定目盛３２ｃに対しては、次のページまたは前のページへと１ページだけを進めるまたは戻るために、移動ページ数として、１ページを割り当てられるが、さらに外側のめくりページ指定目盛３２ｂと戻しページ指定目盛３２ｃに対しては、１ページではなく、複数ページ、例えば、２ページ、１０ページ等のように、仕上がり画像３０の総ページ数とページ指定の操作性を考慮した割当を行う。
【００７３】
このようにガイドスケール３２を表示すると、当該ガイドスケール３２上の位置をタッチ操作することで、目的ページのページ指定を行うことができ、制御部２は、ガイドスケール３２でページ指定操作が行われると、当該指定されたページの見開き２ページ分の仕上がり画像記憶部４から読み出して、表示画面７ａに表示させるとともに、目的ページ情報を画像処理部５に通知して、画像処理部５が、仕上がり画像の全体のページ構成の中での当該目的ページのページ位置からめくりページ指定目盛３２ｂと戻しページ指定目盛３２ｃの目盛配置を再構成したガイドスケール３２の画像を作成し直させて、当該作成し直されたガイドスケール３２を表示画面７ａに表示させる。
【００７４】
そして、このガイドスケール３２のめくりページ指定目盛３２ｂと戻しページ指定目盛３２ｃは、各目盛を均等配置するものに限るものではなく、図５に示すように、現在ページ指定目盛３２ａに近いほどその目盛間隔を広くし、現在ページ指定目盛３２から離れるほどその目盛間隔を狭くしたログスケール配置としてもよい。
【００７５】
このようにすると、現在開かれているページに近いページのめくりページ指定目盛３２ｂと戻しページ指定目盛３２ｃの指定操作を行いやすくなる。
【００７６】
また、表示ページの移動があると、めくりページ指定目盛３２ｂと戻しページ指定目盛３２ｃの色を変化させて表示するようにしてもよい。
【００７７】
このようにすると、めくりページ指定目盛３２ｂと戻しページ指定目盛３２ｃのページ配置を分かりやすくすることができる。
【００７８】
さらに、仕上がり画像のページ構成を示すページ構成画像は、枠線集合画像とガイドスケール３２に限るものではなく、例えば、図７に示すように、ガイドスケール３２の目盛３２ａ、３２ｂ、３２ｃが指示操作（タッチ操作）されると、当該指示操作された目盛３２ａ、３２ｂ、３２ｃのページが指定する移動先ページを文字表示するようにしてもよい。図７では、ガイドスケール３２上のめくりページ指定メモリ３２ｂの一つを選択目盛Ｐとして示すように、めくりページ指定目盛３２ｂの一つが指示操作されたときに、その移動先ページを通知する文字情報として、「移動先：１０ページ」が表示されている。
【００７９】
このガイドスケール３２を使用したページ操作では、具体的には、以下のように操作する。
【００８０】
まず、表示画面７ａのガイドスケール３２上のタッチパネルをタッチ操作することで、その位置に応じてページめくりまたはページ戻しするページ数または仕上がり画像３０の全体のページに対するページ数（図６の表示例の場合に該当する。）を表示する。そして、画像処理装置１は、このガイドスケール３２上のタッチパネルへのタッチ操作がタッチパネル上から離されることなく左右に移動されると、当該移動に応じたガイドスケール３２上のタッチ位置（指定位置）に応じて数値表示するページ数を変化させ、数値表示しているページが目的ページとなる。
【００８１】
ユーザがタッチパネルからタッチ操作を離すと、制御部２が当該目的ページの仕上がり画像を画像記憶部４から読み出して、表示画面７ａに仕上がり画像３０として表示させる。
【００８２】
また、画像処理装置１は、上述のように、このガイドスケール３２上のタッチパネルへのタッチ操作がタッチパネル上から離されることなく左右に移動されると、当該移動に応じたガイドスケール３２上のタッチ位置（指定位置）に応じて数値表示するページ数を変化させる。一方、タッチ位置の移動が行われることなく、予め設定されている待ち時間だけタッチ位置が停止していると、制御部２が、当該停止しているタッチ位置が移動先のページとして指定されたものと判断して、図７に示していた状態から図８に示す状態へと表示状態を変化させる。すなわち、制御部２は、停止位置のページを目的ページとして認識すると、当該目的ページの仕上がり画像を画像記憶部４から読み出して、表示画面７ａに仕上がり画像３０として表示させ、枠線集合画像３１ａ、３１ｂ及びガイドスケール３２の表示も当該目的ページへのページ移動に応じた表示に変更する。また、この画像処理装置１は、上述のように、このガイドスケール３２上のタッチパネルへのタッチ操作がタッチパネル上から離されることなく左右に移動されて停止され、当該停止位置を移動先のページとして仕上がり画像３０の表示切替を行うと、ガイドスケール３２の表示も、当該移動先のページを中心とした細かいページ移動を可能とするために、移動先のページを中心位置として、左右に１ページ毎の移動を可能とする目盛３２ｂ、３２ｃの表示を行う。
【００８３】
このようにすると、仕上がり画像３０を確認しながら連続したページ指定操作をなめらかに行うことができ、より一層利用性を向上させることができる。
【００８４】
なお、上記各説明においては、画像処理部５が画像記憶部４に記憶されている処理対象画像データ（原稿画像データ）の全てのページの画像に対して、予め仕上がり画像を生成して、画像記憶部４に保存し、ページ指定されると、制御部２が、当該画像記憶部４の仕上がり画像を読み出して表示操作部７の表示画面７ａに表示しているが、予め全てのページの仕上がり画像を作成するものに限るものではない。例えば、初期状態で表示する表示ページの仕上がり画像のみを生成して画像記憶部４に保存し、その後、ページ指定が行われると、制御部２が画像処理部５に当該ページ指定された目的ページの仕上がり画像を生成させて、一旦画像記憶部４に保存した後に、表示操作部７の表示画面７ａに表示するようにしてもよい。
【００８５】
図９は、本実施の形態にかかる画像処理装置１のハードウェア構成を示すブロック図である。この画像処理装置１は、ファックスやスキャナなどの複合的機能を備える複合機（ＭＦＰ）として構成されている。図９に示すように、画像処理装置１は、コントローラ１１０１とエンジン（Engine）部１１０２とをＰＣＩ（Peripheral Component Interconnect）バスで接続した構成となる。コントローラ１１０１は、画像処理装置１全体の制御と描画、通信、操作部１１２０からの入力を制御するコントローラである。エンジン部１１０２は、ＰＣＩバスに接続可能なプリンタエンジンなどであり、例えば白黒プロッタ、１ドラムカラープロッタ、４ドラムカラープロッタ、スキャナまたはファックスユニットなどである。なお、このエンジン部１１０２には、プロッタなどのいわゆるエンジン部分に加えて、誤差拡散やガンマ変換などの画像処理部分が含まれる。
【００８６】
コントローラ１１０１は、ＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００８７】
ＣＰＵ１１１１は、画像処理装置１の全体制御を行うものであり、ＮＢ１１１３、ＭＥＭ−Ｐ１１１２およびＳＢ１１１４からなるチップセットを有し、このチップセットを介して他の機器と接続される。
【００８８】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００８９】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００９０】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部なども接続される。
【００９１】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、エンジン部１１０２との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００９２】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプログラムの蓄積、フォントデータの蓄積、フォームの蓄積を行うためのストレージである。
【００９３】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００９４】
ＡＳＩＣ１１１６に接続する操作部１１２０は、操作者からの操作入力を受け付けて、ＡＳＩＣ１１１６に受け付けられた操作入力情報を送信する。
【００９５】
なお、本実施の形態の画像処理装置１で実行される画像表示プログラムおよび画像形成プログラムは、ＲＯＭ等に予め組み込まれて提供される。
【００９６】
本実施の形態の画像処理装置１で実行される画像表示プログラムおよび画像形成プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００９７】
さらに、本実施の形態による画像処理装置１で実行される画像表示プログラムおよび画像形成プログラムを、インターネット等のネットワークに接続されたコンピュータ上に格納し、ネットワーク経由でダウンロードさせることにより提供するように構成しても良い。また、本実施の形態の画像処理装置１で実行される画像表示プログラムおよび画像形成プログラムをインターネット等のネットワーク経由で提供または配布するように構成しても良い。
【００９８】
本実施の形態の画像処理装置１は、上述した各部（制御部２、画像読取部３、画像記憶部４、画像処理部５、プリント出力部６及び表示操作部７など）を含むモジュール構成となっており、ＣＰＵ（プロセッサ）が上記ＲＯＭから画像表示プログラムおよび画像形成プログラムを読み出して実行することにより上記各部が主記憶装置上にロードされ、制御部２、画像読取部３、画像記憶部４、画像処理部５、プリント出力部６及び表示操作部７などが主記憶装置上に生成されるようになっている。
【００９９】
［第２の実施の形態］
第１の実施の形態においては、本発明の画像処理装置（画像処理装置１）として、ＭＦＰと称される複合機を適用したが、これに限るものではない。例えば、プリンタ装置などの画像形成装置をパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【０１００】
図１０は、本発明の第２の実施の形態にかかるプリントシステム１００の概略構成例を示すブロック図である。図１０に示すプリントシステム１００は、印刷データ及び当該印刷データを印刷するための印刷条件を含む印刷ジョブを送出するパーソナルコンピュータ１０１と、印刷データを印刷するプリンタ装置１０２とが、ケーブル１０３を介して接続されて構築されている。
【０１０１】
パーソナルコンピュータ１０１は、作成した文書に対応した印刷データ及びこの文書印刷するために設定した印刷条件データ（用紙方向、両面、集約、製本、ステープル、パンチ、拡大／縮小等）を印刷ジョブとしてプリンタ装置１０２に送出する。
【０１０２】
プリンタ装置１０２は、パーソナルコンピュータ１０１から送出される印刷ジョブに従って印刷データの印刷を行う。具体的には、プリンタ装置１０２は、印刷ジョブに含まれる印刷条件データ（用紙方向、両面、集約、製本、ステープル、パンチ、拡大／縮小等）に従って、印刷ジョブに含まれる印刷データを紙などのメディアに印刷する。
【０１０３】
以下、パーソナルコンピュータ１０１およびプリンタ装置１０２の具体的な構成を順に説明する。
【０１０４】
図１１は、パーソナルコンピュータ１０１の概略構成を示すブロック図である。図１１において、パーソナルコンピュータ１０１は、データを入力するための入力部１１１と、表示部１１２と、データ通信をおこなうための通信部１１３と、装置全体の制御を司るＣＰＵ１１４と、ＣＰＵ１１４のワークエリアとして使用されるＲＡＭ１１５と、記録媒体１１７のデータのリード／ライトを行う記録媒体アクセス装置１１６と、ＣＰＵ１１４を動作させるための各種プログラム等を記憶した記録媒体１１７とから構成されている。
【０１０５】
入力部１１１は、カーソルキー、数字入力キー及び各種機能キー等を備えたキーボード、表示部１１２の表示画面上でキーの選択等を行うためのマウスやスライスパット等からなり、操作者がＣＰＵ１１４に操作指示を与えたり、データを入力するためのユーザインターフェイスである。
【０１０６】
表示部１１２は、ＣＲＴやＬＣＤ等により構成され、ＣＰＵ１１４から入力される表示データに応じた表示が行われる。通信部１１３は、外部とデータ通信するためのものであり、例えば、ケーブル１０３を介してプリンタ装置１０２等とデータ通信を行うためのものである。
【０１０７】
ＣＰＵ１１４は、記録媒体１１７に格納されているプログラムに従って、装置全体を制御する中央制御ユニットであり、このＣＰＵ１１４には、入力部１１１、表示部１１２、通信部１１３、ＲＡＭ１１５、記録媒体アクセス装置１１６が接続されており、データ通信、メモリへのアクセスによるアプリケーションプログラムの読み出しや各種データのリード／ライト、データ／コマンド入力、表示等を制御する。また、ＣＰＵ１１４は、入力部１１１から入力された印刷データ及び当該印刷データの印刷条件データを印刷ジョブとして通信部１１３を介して、プリンタ装置１０２に送出する。
【０１０８】
ＲＡＭ１１５は、指定されたプログラム、入力指示、入力データ及び処理結果等を格納するワークメモリと、表示部１１２の表示画面に表示する表示データを一時的に格納する表示メモリとを備えている。
【０１０９】
上記記録媒体１１７は、ＣＰＵ１１４が実行可能なＯＳプログラム１１７ａ（例えば、ＷＩＮＤＯＷＳ（登録商標）等）、文書作成アプリケーションプログラム１１７ｂ、プリンタ装置１０２に対応したプリンタドライバ１１７ｃ等の各種プログラムやデータを格納する。記録媒体１７としては、例えば、フレキシブルディスク、ハードディスク、ＣＤ−ＲＯＭ、ＤＶＤ−ＲＯＭ、ＭＯやＰＣカード等の光学的・磁気的・電気的な記録媒体から成る。上記各種プログラムは、ＣＰＵ１１４が読み取り可能なデータ形態で記録媒体１１７に格納されている。また、上記各種プログラムは、予め記録媒体に記録されている場合や通信回線を介してダウンロードされて記録媒体に格納される場合等がある。また、上記各種プログラムは通信回線を介して配信可能である。
【０１１０】
図１２は、プリンタ装置１０２の概略構成を示すブロック図である。図１２に示すように、プリンタ装置１０２は、データ通信をおこなう通信部１２１と、プリンタ装置１０２の全体の制御を司るＣＰＵ１２２と、ＣＰＵ１２２を動作させる各種制御プログラムを格納したＲＯＭ１２３と、各種制御プログラムのワークエリアおよびパーソナルコンピュータ１０１等から入力される印刷ジョブの印字データおよび印刷条件データを一時的格納するＲＡＭ１２４と、印字データを転写紙に印字するためのプリンタエンジン１２５と、印字データが印字された紙をステープルするためのステープル部１２６と、印字データが印字された転写紙にパンチ穴を空けるためのパンチ部１２７とから構成されている。つまり、プリンタ装置１０２は、両面機能、パンチ機能、ステープル機能等を備えている。
【０１１１】
通信部１２１は、外部とデータ通信を行うためのものであり、例えば、パーソナルコンピュータ１０１とデータ通信を行うものである。
【０１１２】
ＣＰＵ１２２は、ＲＯＭ１２３に格納されている各種制御プログラムに従って装置全体を制御する中央制御ユニットである。このＣＰＵ１２２には、通信部１２１と、ＲＯＭ１２３と、ＲＡＭ１２４と、プリンタエンジン１２５と、ステープル部１２６と、パンチ部１２７が接続されており，データ通信やプリンタ動作等を制御する。
【０１１３】
ＲＯＭ１２３は、ＣＰＵ１２１を動作させるための各種制御プログラムやその処理に使用されるパラメータ等を記憶している。ＲＡＭ１２４は、指定された制御プログラム、処理結果及び受信した印刷データ等を格納するワークメモリを備えている。
【０１１４】
プリンタエンジン１２５は、電子写真方式のプリンタエンジンで構成されており、印字データを転写紙に印字するユニットである。なお、プリンタ装置１０２の印刷方式は、電子写真方式のほか、インクジェット方式、昇華型熱転写方式、銀塩写真方式、直接感熱記録方式、溶融型熱転写方式など、様々な方式を用いることができる。
【０１１５】
次に、パーソナルコンピュータ１０１のプリンタドライバ１１７ｃについて説明する。プリンタドライバ１１７ｃは、特定のプログラムに対して他のプログラムが、プリンタ装置１０２のハードウェアや内部“言語”に煩わされることなく操作できるように設計されたソフトウエアプログラムであり、プリンタ装置１０２を制御するためのもので、出力データの処理等をおこなうためのものである。
【０１１６】
パーソナルコンピュータ１０１のＣＰＵ１１４は、プリンタドライバ１１７ｃに従って、入力部１１１から入力された印刷データ及び当該印刷データの印刷条件データに基づく仕上がり予想図の生成・表示、文書作成アプリケーション１１７ｂで作成した印刷データのプリンタ装置１０２への転送等を行う。
【０１１７】
パーソナルコンピュータ１０１は、プリンタドライバ１１７ｃに従ってＣＰＵ１１４が動作することにより、図１３に示すように、制御部２、画像記憶部４、画像処理部５、プリント出力部６及び表示操作部７を備える。
【０１１８】
このように、プリンタドライバ１１７ｃに従ってＣＰＵ１１４が動作することにより、パーソナルコンピュータ１０１は、図１に示した画像処理装置１と同等なシステム構成を備えることになり、第１の実施の形態で説明したような各種の作用効果と同様の作用効果を得ることができる。
【０１１９】
図１４は、プリンタドライバ１１７ｃによる表示画面の一例を示す正面図である。図１４に示す画面は、文書作成アプリケーション１１７ｂの表示画面やＯＳプログラム１１７ａの起動画面等で、プリンタドライバ１１７ｃの起動が選択された場合に表示される画面である。図１４に示す画面においては、基本条件設定画面、編集条件設定画面、仕上げ条件設定画面等に加えて、入力部１１１から入力された印刷データ及び当該印刷データの印刷条件データに基づく仕上がり予想図の生成・表示を行なうプレビュー設定画面７ａ（画像処理装置１の表示操作部７の表示画面７ａと同様のもの）が選択可能になっている。
【０１２０】
なお、本実施の形態においては、プリンタドライバ１１７ｃに従ってパーソナルコンピュータ１０１のＣＰＵ１１４を動作させることによって、入力部１１１から入力された印刷データ及び当該印刷データの印刷条件データに基づく仕上がり予想図の生成・表示を行なうプレビュー設定画面７ａを表示させるようにしたが、これに限るものではなく、文書作成アプリケーション１１７ｂやＯＳプログラム１１７ａに従ってパーソナルコンピュータ１０１のＣＰＵ１１４を動作させることによって、プレビュー設定画面７ａを表示させるようにしても良い。
【０１２１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２２】
本発明は、複数ページからなる画像データの仕上がり状態を確認して各種設定を行うファクシミリ装置、複合装置、複写装置、プリンタ及びコンピュータ等の画像処理装置一般に適用することができる。
【図面の簡単な説明】
【０１２３】
【図１】図１は、本発明の第１の実施の形態にかかる画像処理装置の要部を示すブロック図である。
【図２】図２は、表示操作部の表示画面における表示の一例を示す正面図である。
【図３】図３は、ページを移動する場合の画像表示処理の流れを示すフローチャートである。
【図４】図４は、表示操作部の表示画面における表示の一例を示す正面図である。
【図５】図５は、表示操作部の表示画面における表示の一例を示す正面図である。
【図６】図６は、表示操作部の表示画面における表示の一例を示す正面図である。
【図７】図７は、表示操作部の表示画面における表示の一例を示す正面図である。
【図８】図８は、表示操作部の表示画面における表示の一例を示す正面図である。
【図９】図９は、画像処理装置のハードウェア構成を示すブロック図である。
【図１０】図１０は、本発明の第２の実施の形態にかかるプリントシステムの概略構成例を示すブロック図である。
【図１１】図１１は、パーソナルコンピュータの概略構成を示すブロック図である。
【図１２】図１２は、プリンタ装置の概略構成を示すブロック図である。
【図１３】図１３は、パーソナルコンピュータの要部を示すブロック図である。
【図１４】図１４は、プリンタドライバによる表示画面の一例を示す正面図である。
【符号の説明】
【０１２４】
１，１０１    画像処理装置
２      仕上がり画像表示手段、ページ移動手段
５      仕上がり画像生成手段
７      表示手段、操作手段
１０    仕上がり画像
１０ａ，１１ａ，１０ｄ，１１ｄ    ページ構成画像、枠線集合画像
１１    めくり終わり仕上がり画像
３０    仕上がり画像
３１ａ，３１ｂ    ページ構成画像、枠線集合画像
３２ａ，３２ｂ，３２ｃ    目盛
３２      ページ構成画像、ガイドスケール画像
【図１】
0004828338.tif 000002
【図２】
0004828338.tif 000003
【図３】
0004828338.tif 000004
【図４】
0004828338.tif 000005
【図５】
0004828338.tif 000006
【図６】
0004828338.tif 000007
【図７】
0004828338.tif 000008
【図８】
0004828338.tif 000009
【図９】
0004828338.tif 000010
【図１０】
0004828338.tif 000011
【図１１】
0004828338.tif 000012
【図１２】
0004828338.tif 000013
【図１３】
0004828338.tif 000014
【図１４】
0004828338.tif 000015